(57)【要約】      （修正有）【課題】上面および底面が解放された中空の断面多角形の柱状体の側面に多数の透孔を設けた単位植生ブロックを使用することで、植生根のロール現象、土壌菌の部分過剰繁殖、養分の偏向を防ぐばかりでなく、施工が容易で、法面に凹凸があっても強固な緑化植生基盤を構成できる緑化植生工法を提供する。【解決手段】中央部に背の高いハニカム状植生ブロック集合体を、その回りに中程度の高さを有するハニカム状植生ブロック集合体を、外周部に背の低いハニカム状植生ブロック集合体を順次コンクリート製の法面８上に配置する。このハニカム状植生ブロック集合体全体をアンカー５１および金網６で法面８上に固定する。そして種子を混入したスラリー状の客土をスラリーポンプによって吹付けて緑化植生基盤７を形成する。【選択図】図８
2005155002.tif 000002
【特許請求の範囲】
【請求項１】
上面および底面が解放された中空の断面多角形の柱状体の側面に多数の透孔を設けた単位植生ブロックを多数並べその隣接する単位植生ブロック同士の側面を結合してハニカム状植生ブロック集合体を形成する工程、
上記ハニカム状植生ブロック集合体をコンクリート法面上に配置する工程、
上記コンクリート法面上に配置されたハニカム状植生ブロック集合体を金網等でコンクリート法面上に固定する工程および
上記コンクリート法面上に固定されたハニカム状植生ブロック集合体の上から植生すべき植物の種子を混入した客土を吹き付け緑化植生基盤を形成する工程よりなることを特徴とする緑化植生工法。
【請求項２】
上記ハニカム状植生ブロック集合体は周辺に行くに従って高さの低い単位植生ブロックを配置して構成することを特徴とする請求項１記載の緑化植生工法。
【請求項３】
上記多角形は三角ないし八角から選定されたいずれか１つの多角形であることを特徴とする請求項１または請求項２に記載の緑化植生工法。
【請求項４】
上記多角形は五角または六角の多角形であることを特徴とする請求項３に記載の緑化植生工法。
【請求項５】
上記単位植生ブロックの側面に設けた透孔の総面積が側面の面積の８％ないし３０％になるように透孔が穿孔されていることを特徴とする請求項１ないし請求項４のいずれかに記載の緑化植生工法。
【請求項６】
上記単位植生ブロックの高さは３ｃｍないし２０ｃｍ、最大直径は５ｃｍないし２０ｃｍとしたことを特徴とする請求項１ないし請求項５のいずれかに記載の緑化植生工法。
【請求項７】
上記単位植生ブロックは、長方形の板材の長手方向に直角に等間隔に設けられた数本の折れ目と該折れ目によって区画された方形の区画に設けられた多数の透孔とを有する長方形の板材をその折れ目に沿って折り曲げ、両端の糊代部を接合して形成されることを特徴とする請求項１ないし請求項６のいずれかに記載の緑化植生工法。
【請求項８】
上記長方形の板材は、ダンボール、厚紙、再生紙等の紙質材料、木材、合成木材、合板等の木質材料およびプラスチック材料より選ばれた１種または２種以上の材料から形成されていることを特徴とする請求項７に記載の緑化植生工法。
【請求項９】
上記単位植生ブロックは、紙パルプ、合成木材原料、プラスチック材料等の可塑性材料を用いて一体成形によって形成されていることを特徴とする請求項１ないし請求項６のいずれかに記載の緑化植生工法。
【請求項１０】
上記プラスチック材料として生分解性プラスチックを用いることを特徴とする請求項８または請求項９に記載の緑化植生工法。
【発明の詳細な説明】
【０００１】
【発明の属する技術分野】
本発明は、道路、ダム、造成地等のコンクリート製の法面に草や樹木を植えて緑化するための緑化植生工法に関する。
【０００２】
【従来の技術】
コンクリート製の法面に草や樹木を植えて緑化するための緑化植生工法としては、今まで各種の方法が提案され、実施されている。
【０００３】
その代表的な方法としては、（ａ）モルタル面を一定の割合で削孔し、その上に約１５ｃｍの厚さで種子を混入した客土を吹き付ける方法、（ｂ）モルタル上にストッパーとしての鋼製腰掛金具を設置し、その上に植生土嚢袋を固定する方法、（ｃ）モルタル面に格子状の梁を設置し、その中に種子を混入した客土を吹き付ける方法等を挙げることができる。
【０００４】
【発明が解決しようとする課題】
いずれの方法も、モルタル面をかなりの量掘削する必要があるので、冬季その削孔部分から浸透した水分がモルタル面の裏面において凍結膨張してモルタルを破壊するという問題がある。その他、（ｂ）の方法は自由水が移動しやすく乾燥障害を起こす、（ｃ）の方法は直接工事費が高い等の欠点がある。
【０００５】
そこで、法面への固定のためのアンカー等の数を減らすために、生分解性材料のパネル基盤上に多数の凹部を形成し、この凹部に種子、肥料、吸収性ポリマーを詰めて、このパネルを法面上に敷き詰めるという方法が提案された。
【特許文献１】  特開平１０−２４８３８０号公報
【０００６】
特開平１０−２４８３８０号公報によれば、この方法は庭園、河川敷、傾斜地、ゴルフ場等の土壌が剥き出しになっている法面を対象にして開発されたものと思われるが、土壌以外のコンクリート面の上にも直に緑化が可能であると言及している。
【０００７】
しかし、実際のコンクリート製の法面の場合は、その表面は必ずしも平坦ではなく、このような広い面積を持つパネル基盤を凹凸のあるコンクリート製の法面の上に敷き詰めた場合、パネル基盤とコンクリート面との間に隙間が生じ、雨水がその隙間を流通してパネル基盤とコンクリート面との接合、植生植物のコンクリート面への定着を阻害する。そのために、コンクリート面の表側をある程度掘削してからパネル基盤を敷き詰める必要が生じてくる。このようにコンクリートの表面を破壊することは、法面保護機能を著しく低下させることになる。
【０００８】
さらに、このパネル基盤の凹部の底には穴が開けられているが、側面には透孔が存在しないので、植生植物の根が横方向に伸びることができず植生根がロール化して植物の発育を阻害しすると同時に、隣接する植物同士の根が絡まって緑化基盤を強化する効果が期待できない。
【０００９】
【課題を解決する手段】
そこで、本発明は従来の課題を解決し、且つ、大幅なコストダウンを図ることのできる緑化植生工法を提供するものである。すなわち、本発明の緑化植生工法は上面および底面が解放された中空の断面多角形の柱状体の側面に多数の透孔を設けた単位植生ブロックを使用することを特徴とする。
【００１０】
そして、この単位植生ブロックを多数並べその隣接する単位植生ブロック同士の側面を結合してハニカム状植生ブロック集合体を形成する工程、上記ハニカム状植生ブロック集合体をコンクリート法面上に配置する工程、上記コンクリート法面上に配置されたハニカム状植生ブロック集合体を金網等でコンクリート法面上に固定する工程および上記コンクリート法面上に固定されたハニカム状植生ブロック集合体の上から植生すべき植物の種子を混入した客土を吹き付け緑化植生基盤を形成する工程よりなることを特徴とする。
【００１１】
上記単位植生ブロックは、断面多角形の柱状体であって、三角形ないしは八角形の柱状体が好ましい。三角は多角形を形成する最小限の数である。八角形よりも辺の数が多い多角形は円に近づき、単位植生ブロック内に詰め込んだ客土が膨張する力を受け止める強度が小さくなり好ましくない。
【００１２】
すなわち、三角形の場合は、入り口面積が小さいので、スラリーポンプで客土スラリーを注入する場合中まで入りにくい。従って、充填された客土に空隙ができ客土の充填率が低くなる。入り口面積を大きくするとハニカム状植生ブロック集合体の強度が弱くなる。
【００１３】
四角形の場合は、ハニカム状植生ブロック集合体の強度が、五角形、六角形に比べて弱い。
【００１４】
五角形の場合は、ハニカム状植生ブロック集合体の強度が強く、スラリーポンプで客土スラリーを注入した場合中まで入りやすく、客土の充填率が高くなる。さらに、ハニカム状植生ブロック集合体にした場合、菱形の空隙ができるが、最終工程で客土スラリーを吹き付ければこの菱形の空隙の中にも客土が注入されるので緑化植生基盤の強度を弱くすることはない。さらに、この菱形の空隙の存在によってブロック集合体のフレキシビリティが増し、凹凸の法面上に載せた場合、その凹凸を吸収して法面との間に隙間が生じなくなる。
【００１５】
六角形の場合、ハニカム状植生ブロック集合体の強度が最も強い。さらに客土スラリーは奥まで入りやすく、客土の充填率が非常に高い。
従って、多角形の植生ブロックとしては五角形および六角形の植生ブロックが最も好ましい。
【００１６】
上記単位植生ブロックは、その側面に多数の透孔が設けられているが、この透孔は折りたたむ前の板材にプレス等に依って穿孔することによって得られる。透孔の数は、透孔の総面積が側面の面積の８％ないし３０％になるように透孔を穿孔する必要がある。透孔の総面積が側面の面積の８％よりも少ないと、単位植生ブロック内に溜まった重力水の排出が悪く、この中に植えた植生植物の根腐れを起こす原因になる。透孔の総面積が側面の面積の３０％よりも大きい場合は、重力水が流出して保水性が悪くなると同時に、単位植生ブロックの強度が弱くなるので好ましくない。
【００１７】
透孔の数は上記のように面積の比率でその基準が決められているが、実際の数としては、例えば、縦１５ｃｍ、横６ｃｍの側面に直径１ｃｍの透孔を１４個設けるのが好ましい。この場合の透孔の面積比率は１２．２％となる。
【００１８】
この断面多角形の柱状体を形成するには、１枚の長方形をした板材の長手方向に直角に折れ目を等間隔に形成し、その折れ目に沿って折り曲げて多角形の柱状体を形成する。折れ目の数は目的とする多角形の辺の数と同じ数だけ形成する。折れ目によって形成された矩形の区画（側面）は多角形の辺の数よりも１つ多くなる。両端の矩形の区画は糊代部として重ね合わせて接合すれば目的とする上面および底面の解放された中空の断面多角形の柱状体が得られる。
【００１９】
即ち、六角形の柱状体の場合は、折れ目を６本付ける。その結果、長方形の区画は７つ形成される。折れ目に沿って折り曲げ、両端の糊代部を重ね合わせて糊付けまたはステープラ針等で止めれば六角形の柱状体が形成される。
【００２０】
単位植生ブロックを形成するための長方形の板材の材質は、ダンボール、厚紙、再生紙等の紙質材料、木材、合成木材、合板等の木質材料およびプラスチック材料のいずれか又はこれらの材料の複合材料から選定される。
【００２１】
これらの材料のうち特に好ましいものは、保水性、機械的強度、凍結耐破壊性、生分解性、環境汚染性、製造の容易性、現場での易組立性、コストの面から選定される。紙質材料の中ではダンボールが上記すべての条件を満足できる材料であるので最も好ましい。厚紙も使用可能であるがコストの点で難点がある。再生紙は生分解性がやや劣る。
【００２２】
木質材料の中では木材チップや木材粉を接着剤で固めた合成木材が比較的好ましいが、製造の容易性、コストの点で難点がある。木材は製造面、現場での組み立て性、コストの面でやや劣る。合板は強度の面では優れているが生分解性、製造面、現場での組み立て性、コスト面でやや劣る。
【００２３】
プラスチック材料としてビニール樹脂や発泡プラスチック等も使用可能であるが、生分解性が悪く、また環境汚染性の点でも好ましくない。その点、生分解性プラスチックが好ましく用いられる。生分解性プラスチックとしては、微生物産生系生分解性プラスチック、澱粉系生分解性プラスチック、セルロース系生分解性プラスチック、乳酸系生分解性プラスチック、ポリカプトラクトン系生分解性プラスチック等種々製造されているが、いずれの生分解性プラスチックでも、またここに例示されていない生分解性プラスチックでも使用可能である。
【００２４】
緑化植生ブロックを形成する他の方法としてはブロック体を一体成形する方法がある。この方法に用いられる材料は、紙パルプ、合成木材の原料である粘結剤を混ぜた木材チップまたは木材粉末、プラスチック等の可塑性材料が用いられる。一体成形方法としては、プレス成形、モールド成形が用いられる。プラスチック原料の場合は射出成型も使用することができる。
【００２５】
単位植生ブロックの大きさは、高さは３ｃｍないし２０ｃｍ、最大直径は５ｃｍないし２０ｃｍであることが好ましい。高さが３ｃｍより低いと客土を収容する体積が小さくなり植物の根付が悪くなるので好ましくない。２０ｃｍよりも高いと斜面で客土を入れた場合、強度不足で自壊してしまう可能性がある。
【００２６】
最大直径が５ｃｍよりも小さいと、客土を吹き付けた場合、単位植生ブロック内に客土が入る確率が低くなり空隙ができやすいので好ましくない。最大直径が２０ｃｍよりも大きいと、特に傾斜地で客土を収容した場合、雨水や風によって客土が流出してしまうので好ましくない。
【００２７】
最も、推奨する大きさは、六角の単位植生ブロックの場合、最大直径は９ｃｍ〜１５ｃｍ、高さは５ｃｍ、１０ｃｍ、１５ｃｍである。３段階の高さのものを作る必要性は、後述のハニカム状植生ブロック集合体の説明の項において述べる。
【００２８】
ハニカム状植生ブロック集合体を形成する工程において、単位植生ブロック同士を結合する方法としては、接着剤によって接合する方法が最も一般的な方法として挙げることができる。しかし、乾燥に時間がかかることと接着剤のコストが高くつくので、紙質材料や柔らかいプラスチック材料の場合はステープラ針で上下２箇所を止める方法が現場での作業性が高く、コストも安いので推奨する。
木質材料や硬いプラスチックの場合は接着以外にＵ字型をした金属製の挟み具によって上下を止めても良い。
【００２９】
【実施例】
次に本願発明の実施例を図１のフローチャートによって説明する。
１１は単位植生ブロックの製造工程で、予め工場等で断面多角形の柱状体をした単位植生ブロックを製造し、完成品を現場に運び込んでもよいが、板状の植生ブロック用素材を現場で折り曲げ両端の糊代部を重ね合わせてステープラ針で止めて形成しても良い。この方法によれば、植生ブロックの輸送における容量がコンパクトになり輸送コストを低減することができる。
【００３０】
１２はハニカム状植生ブロック集合体の形成工程で、多数の単位植生ブロックを直立した状態で平面的に必要な数並べ、相接する単位植生ブロックの側面同士を接合してゆく。接合の方法は接着剤を使用しても良いが、ステープラ針で上下を止める方法が現場においても簡単に実施できるので都合が良い。
【００３１】
１３はハニカム状植生ブロック集合体を法面のコンクリート上に配置する工程である。この配置は法面上に全面を覆うように配置しても良いが、特定の模様を形成するように部分的に配置する場合もある。
【００３２】
１４はコンクリート法面上に配置されたハニカム状植生ブロック集合体を固定する工程である。この固定はハニカム状植生ブロック集合体の要所要所にアンカーを打ち込んで仮止めし、全体を金網で覆い法面上に固定する。
【００３３】
１５は緑化植生基盤形成工程で、コンクリート法面上に固定されたハニカム状植生ブロック集合体の上から植生植物の種を混入した客土スラリーをスラリーポンプ等で吹き付けてハニカム状植生ブロック集合体の内部に充填し、さらにその表面を完全に覆う。
【００３４】
図２は単位植生ブロックの斜面図である。この実施例では六角形の柱状体の単位植生ブロック３Ａを示している。２１は単位植生ブロック２の側面、２２は折れ目、２３は側面２１に多数穿孔された透孔、２４は柱状体を形成するために板材を折り曲げて接合された両端の糊代部、２５は糊代部を接合するためのステープラ針を示している。
【００３５】
図３は六角形の柱状体の植生ブロック３Ａを形成するための植生ブロック素材２Ａを示している。植生ブロック素材２Ａは、長方形の板材の長手方向に直角に折れ目２２が６本設けられている。又この折れ目２２で区画された区画（側壁）２１には多数の透孔２３が穿孔されている。折れ目２２から折り曲げ両端の糊代部２４、２４を重ね合わせて接合すれば六角形の柱状体が形成される。
【００３６】
図４は五角形の柱状体の植生ブロック３Ｃを形成するための植生ブロック素材２Ｂを示している。折れ目２２は５本設けられている。
【００３７】
図５は、紙パルプ、合成木材の原料、プラスチク等の塑性材料を用いて一体成形により製造された単位植生ブロック３Ｂを示している。このブロックは図に示すように接合部のない六角の柱状体として形成されている。
【００３８】
次に単位植生ブロックを用いて緑化植生基盤を形成する工法を図６〜図８によって説明する。
図６に示すように、先ず、単位植生ブロック３Ａを２個並べ、接触する側面２１同士を密接した状態でステープラ針２６で上下２箇所を止める。以下同様にして蜂巣状に組み立ててゆく。
図７は、多数の単位植生ブロック３Ａを結合して構成したハニカム状植生ブロック集合体４Ａをコンクリート製の法面８上に敷き詰めた状態を示すものである。
【００３９】
ハニカム状植生ブロック集合体４Ａは、背の高いハニカム状植生ブロック集合体４１、中程度の高さを有するハニカム状植生ブロック集合体４２、背の低いハニカム状植生ブロック集合体４３の３種類が用意されている。そして図のように順次高さの低いものを周辺部に配置する。
【００４０】
図８はハニカム状植生ブロック集合体をコンクリート製の法面８上に固定した状態を示すもので、中央部に背の高いハニカム状植生ブロック集合体４１を配置し、それを取り囲むように中程度の高さを有するハニカム状植生ブロック集合体４２を並べ、外周部には背の低いハニカム状植生ブロック集合体４３を配置する。主要部、例えば中心部および４隅にアンカー５１を打ち込み仮止めした後、全体を金網６で覆い、金網６の周囲をピン５２で法面８上に固定する。最後に種子を混入したスラリー状の客土をスラリーポンプによって吹付けて緑化植生基盤７を構成する。
【００４１】
図９は五角形の単位植生ブロック３Ｃを集合して形成したハニカム状植生ブロック集合体を示し、配列の仕方によって２種類の集合体４Ｂ、４Ｃが形成される。４４は菱形をした隙間であるが、最後に客土をスラリーポンプによって吹き付ければ、この隙間４４にも客土が充填されるのでハニカム状植生ブロック集合体の強度には影響ない。
【００４２】
【発明の効果】
本発明は、上面および底面が解放された中空の断面多角形の柱状体の側面に多数の透孔を設けた単位植生ブロックを多数並べその隣接する単位植生ブロック同士の側面を結合して形成されたハニカム状植生ブロック集合体を使用するので、法面上に凹凸があってもコンクリート面との間に間隙が生ぜず、強固な緑化植生基盤を形成することができる。
【００４３】
本発明は、上面および底面が解放された中空の断面多角形の柱状体の側面に多数の透孔を設けた単位植生ブロックを多数並べその隣接する単位植生ブロック同士の側面を結合して形成されたハニカム状植生ブロック集合体を使用するので、植生根のロール現象、土壌菌の部分過剰繁殖、養分の偏向を防ぐばかりでなく、側面の透孔から植生植物の根が横に伸び隣接する単位植生ブロック中の植生植物の根と絡み合って強固な緑化植生基盤を形成することができる。
【００４４】
本発明は、紙質材料や生分解性プラスチック材料等で形成された保水性、生分解性の単位植生ブロックを使用すれば、乾燥障害耐性が高く、環境汚染性の少ない緑化植生基盤を形成することができる。
【００４５】
本発明は、板材の長手方向に直角に等間隔に設けられた数本の折れ目とこの折れ目によって区画された方形の区画に設けられた多数の透孔とを有する長方形の板材で単位植生ブロックを形成することにより、現場で単位植生ブロックを形成し、さらにハニカム状植生ブロック集合体を形成することが簡単に行うことができ、単位植生ブロックの輸送費の削減や施工コストの切り下げが可能になる。
【図面の簡単な説明】
【図１】  本発明の緑化植生工法の工程を示すフローチャートである。
【図２】  本発明で使用する単位植生ブロックの斜面図である。
【図３】  六角形柱状体の単位植生ブロックを形成する素材の平面図である。
【図４】  五角形柱状体の単位植生ブロックを形成する素材の平面図である。
【図５】  本発明で使用する他の実施例の単位植生ブロックの斜面図である。
【図６】  ハニカム状植生ブロック集合体を形成する説明図である。
【図７】  ハニカム状植生ブロック集合体の施工方法を説明する平面図である。
【図８】  ハニカム状植生ブロック集合体の施工状態を示す説明図である。
【図９】  五角形柱状体の単位植生ブロックで形成されたハニカム状植生ブロック集合体の平面図。
【符号の説明】
２Ａ  植生ブロック素材
２２  折れ目
２３  透孔
３Ａ  単位植生ブロック
４Ａ  ハニカム状植生ブロック集合体
５１  アンカー
６  金網
７  緑化植生基盤
【図１】
2005155002.tif 000003
【図２】
2005155002.tif 000004
【図３】
2005155002.tif 000005
【図４】
2005155002.tif 000006
【図５】
2005155002.tif 000007
【図６】
2005155002.tif 000008
【図７】
2005155002.tif 000009
【図８】
2005155002.tif 000010
【図９】
2005155002.tif 000011